(57)【要約】【課題】回転角が決まっているシーベル機能を持つテレビスタンドにおいて、シーベル板の位置が回転範囲の中央に戻る機能を有することを目的とする。【解決手段】シーベル板Ａ３にはシーベル板取付け具Ａ４が嵌合する部分の前後にボスＡ３３が設けられている。シーベル板取付け具Ａ４には前後方向にＶ字型の溝Ａ４２が、左右にはリブＡ４１が設けられている。チルトベース金具Ａ２には位置決め孔Ａ２２が設けられており、これにシーベル板取付け具Ａ４のリブＡ４１が嵌まることによりシーベル板取付け具Ａ４の位置が決まる。この構成によりセットを持上げると、シーベル板Ａ３のボスＡ３３がシーベル板Ａ３の自重によりシーベル板取付け具Ａ４のＶ字型の溝Ａ４２に滑り込むことで、シーベル板の位置が回転範囲の中央に戻るのである。【選択図】  図１
2004274384.tif 000002
【特許請求の範囲】
【請求項１】
液晶テレビなどの台としてテレビセット下部に取付けられているスタンドで、底面に回転板（以後シーベル板）を有し左右にテレセットが回転する機能（以後シーベル機能）を持ち、その回転角が決まっているテレビスタンドにおいて、テレビセットを持上げた時にシーベル板の位置が回転範囲の中央に戻る機能を有する事を特徴としたテレビスタンド。
【請求項２】
請求項１記載のテレビスタンドにおいて、シーベル板を取付けるためのシーベル板取付け具にＶ時の溝を前後方向に設け、その上部に位置するようシーベル板にボスを設ける。テレビセットを持上げた時にシーベル板のボスがシーベル板の自重によりシーベル板取付け具のＶ時の溝に滑り込むことにより、シーベル板の位置が回転範囲の中央に戻る機能を有する事を特徴としたテレビスタンド。
【請求項３】
請求項１記載のテレビスタンドにおいて、シーベル板とその上部に位置するテレビスタンドのベース（以後チルトベース）に磁石を対角線上及び反発し合う向きに取付ける。磁石の位置を反発する力が均衡を保つ状態でシーベル板が回転範囲の中央になるよう配置することにより、テレビセットを持上げた時にシーベル板の位置が回転範囲の中央に戻る機能を有する事を特徴としたテレビスタンド。
【請求項４】
請求項１記載のテレビスタンドにおいて、シーベル板の上部に板バネを取付ける。その板バネの両端には突起を設け、その突起をチルトベースに設けた孔に入るようにする。板バネを通常状態でシーベル板が回転範囲の中央になるよう配置することにより、テレビセットを持上げた時にシーベル板の位置が回転範囲の中央に戻る機能を有する事を特徴としたテレビスタンド。
【発明の詳細な説明】
【０００１】
【発明の属する技術分野】
本発明は、回転角が決まっているシーベル機能を持つテレビスタンドに関するものである。
【０００２】
【従来の技術】
従来の技術について図１２から図１６を用いて説明する。図１２は従来例におけるテレビセットＤ８の斜視図であり、図１３はそのスタンドＤ９の構成斜視図である。図１４はシーベル板Ｄ３、図１５はシーベル板取付け具Ｄ４、図１６はチルトベース金具Ｄ２の斜視図である。
【０００３】
テレビセットＤ８のスタンドＤ９はシーベル機能を持たす為に、スタンドＤ９の底面にシーベル板Ｄ３をシーベル板取付け具Ｄ４にて取付けている。シーベル板Ｄ３とシーベル板取付け具Ｄ４はシーベル板が回転できるだけの隙間が設定されており、シーベル板Ｄ３より上の部品はリブＢ３１で支えられている。シーベル板Ｄ３には回転止めボスＤ３２が設けており、チルトベース金具Ｄ２の回転止め孔Ｄ２１により回転角度（例えば左右３０度）が規制されている。
【０００４】
【特許文献１】
特開昭０６−１８０３８５号公報
【０００５】
【発明が解決しようとする課題】
従来の方法ではテレビセットＤ８を設置する時シーベル板Ｄ３が回転角度範囲のどの位置にいるか分からない。よって使用者が設置した後、シーベルさせようとした時、左右の回転角が違う場合が有り、使用者に不快感もしくは不信感を持たれる原因となりうる。この対策としてシーベル板Ｄ３にチルトカバーＤ１からはみ出す突起のような目印を設けるつけことが考えられるが、突起が外観として見えるのはデザインとして品格を下げることになる。
【０００６】
よって本発明は、回転角が決まっているシーベル機能を持つテレビスタンドにおいて、簡易な装置によりデザイン性を損なうことなく、テレビセットを持上げた時にシーベル板の位置が回転範囲の中央に戻る機能を有するテレビスタンドを提供するものである。
【０００７】
【課題を解決するための手段】
前記課題を解決するための手段として本発明は、シーベル板に設けられたボスと、シーベル板取付け具に設けられたＶ字の溝により、セットを持上げた時シーベル板のボスがシーベル板の自重により取付け具のＶ時溝に滑り込むようにする。溝とボスの位置はボスが溝に嵌まった時にシーベル板が回転範囲の中央になるよう配置する。この構成により、テレビセットを持上げた時にシーベル板の位置が回転範囲の中央に戻る機能を有するテレビスタンドを提供することができる。
【０００８】
また別の手段として、シーベル板とチルトベース金具に磁石を対角線上及び反発し合う向きに取付ける。磁石の位置は反発する力が均衡を保つ状態でシーベル板が回転範囲の中央になるよう配置する。この構成により、テレビセットを持上げた時にシーベル板の位置が回転範囲の中央に戻る機能を有するテレビスタンドを提供することができる。
【０００９】
また別の手段として、シーベル板に板バネを取付け、その板バネの端には突起を設け、その突起をチルトベース金具に設けた孔に入るようにする。板バネは通常状態でシーベル板が回転範囲の中央になるよう配置する。この構成により、テレビセットを持上げた時にシーベル板の位置が回転範囲の中央に戻る機能を有するテレビスタンドを提供することができる。
【００１０】
【発明の実施の形態】
本発明における請求項２に記載の発明は、シーベル板にはシーベル板取付け具が嵌合する部分の前後にボスを設け、シーベル板取付け具には前後方向にＶ字型の溝を設ける。この時、ボスとシーベル板取付け具はシーベルさせたときに当たらないよう上下に逃げて配置する。これによりセットを持上げた時、シーベル板のボスがシーベル板の自重によりシーベル板取付け具のＶ時溝に滑り込むことで、シーベル板の位置が回転範囲の中央に戻るという作用を有する。
【００１１】
請求項３に記載の発明は、シーベル板とチルトベース金具に磁石を対角線上及び反発し合う向きに取付ける。磁石の位置は反発する力が均衡を保つ状態でシーベル板が回転範囲の中央になるよう配置する。これによりセットを持上げた時、磁石の反発し合う力がシーベル板を回転させることで、シーベル板の位置が回転範囲の中央に戻るという作用を有する。
【００１２】
請求項４に記載の発明は、シーベル板に板バネを取付け、その板バネの端には突起を設け、その突起をチルトベース金具に設けた孔に入るようにする。板バネは通常状態でシーベル板が回転範囲の中央になるよう配置する。これによりセットを持上げた時、バネが元の形状に戻ろうとする力によりシーベル板を回転させることで、シーベル板の位置が回転範囲の中央に戻るという作用を有する。
【００１３】
以下、本発明の実施の形態について、図１から図１１を用いて説明する。
【００１４】
（実施の形態１）
図１は請求項２記載の発明の、スタンドの構成断面図である。図２はシーベル板Ａ３、図３はシーベル板取付け具Ａ４、図４はチルトベース金具Ａ２の斜視図及び３面図である。
【００１５】
シーベル板Ａ３にはシーベル板取付け具Ａ４が嵌合する部分の前後にボスＡ３３が設けられている。シーベル板取付け具Ａ４には前後方向にＶ字型の溝Ａ４２が、左右にはリブＡ４１が設けられている。チルトベース金具Ａ２には位置決め孔Ａ２２が設けられており、これにシーベル板取付け具Ａ４のリブＡ４１が嵌まることによりシーベル板取付け具Ａ４の位置が決まる。
【００１６】
この構成によりセットを持上げると、シーベル板Ａ３のボスＡ３３がシーベル板Ａ３の自重によりシーベル板取付け具Ａ４のＶ字型の溝Ａ４２に滑り込むことで、シーベル板の位置が回転範囲の中央に戻るのである。
【００１７】
以上により、テレビセットを持上げた時にシーベル板の位置が回転範囲の中央に戻るという効果が得られる。
【００１８】
（実施の形態２）
図５は請求項３記載の発明の、シーベル構造の構成斜視図である。図６はシーベル板Ｂ３、図７はチルトベース金具Ｂ２の平面図である。
【００１９】
シーベル板Ｂ３の上面には左右方向に磁石Ｂ６が取付けられている。チルトベース金具Ｂ６の下面には前後方向に磁石Ｂ２が取付けられている。互いの磁石Ｂ６は反発し合う向きに取付けられている。
【００２０】
この構成によりセットを持上げると、磁石Ｂ６の反発し合う力が均衡の取れる位置になるようシーベル板Ｂ３を回転させるので、シーベル板の位置が回転範囲の中央に戻るのである。
【００２１】
以上により、テレビセットを持上げた時にシーベル板の位置が回転範囲の中央に戻るという効果が得られる。
【００２２】
（実施の形態３）
図８は請求項４記載の発明の、シーベル構造の構成斜視図である。図９は板バネＣ６の３面図、図１０はシーベル板Ｃ３、図１１はチルトベース金具Ｃ２の平面図である。
【００２３】
シーベル板Ｃ３には取付けボスＣ３３が設けられており、板バネＣ６の取付け部Ｃ６２が嵌まるようになっている。バネＣ６の両端には位置決め部Ｃ６１が設けられており、チルトベース金具Ｃ２に設けられた位置決め孔Ｃ２２に嵌まるようになっている。板バネＣ６は通常状態でシーベル板Ｃ３が回転範囲の中央になるよう配置されている。
【００２４】
この構成によりセットを持上げると、バネＣ６が元の形状に戻ろうとする力によりシーベル板Ｃ３を回転させることで、シーベル板の位置が回転範囲の中央に戻るのである。
【００２５】
以上により、テレビセットを持上げた時にシーベル板の位置が回転範囲の中央に戻るという効果が得られる。
【００２６】
【発明の効果】
以上のように本発明によれば、簡易な装置によりデザイン性を損なうことなく、テレビセットを持上げた時にシーベル板の位置が回転範囲の中央に戻るという効果が得られる。
【図面の簡単な説明】
【図１】本発明の実施の形態１におけるスタンドの構成断面図
【図２】本発明の実施の形態１におけるシーベル板の斜視図
【図３】本発明の実施の形態１におけるシーベル板取付け具の斜視図及び３面図
【図４】本発明の実施の形態１におけるチルトベース金具の斜視図
【図５】本発明の実施の形態２におけるシーベル構造の構成斜視図
【図６】本発明の実施の形態２におけるシーベル板の平面図
【図７】本発明の実施の形態２におけるチルトベース金具の平面図
【図８】本発明の実施の形態３におけるシーベル構造の構成斜視図
【図９】本発明の実施の形態３における板バネの３面図
【図１０】本発明の実施の形態３におけるシーベル板の平面図
【図１１】本発明の実施の形態３におけるチルトベース金具の平面図
【図１２】従来例におけるテレビセットの斜視図
【図１３】従来例におけるスタンドの構成斜視図
【図１４】従来例におけるシーベル板の斜視図
【図１５】従来例におけるシーベル板取付け具の斜視図
【図１６】従来例におけるチルトベース金具の斜視図
【符号の説明】
Ａ１  チルトカバー
Ａ２、Ｂ２、Ｃ２、Ｄ２  チルトベース金具
Ａ２１、Ｂ２１、Ｃ２１、Ｄ２１  回転止め孔
Ａ２２、Ｃ２２、Ｄ２２  位置決め孔
Ａ３、Ｂ３、Ｃ３、Ｄ３  シーベル板
Ａ３１、Ｂ３１、Ｃ３１、Ｄ３１  リブ
Ａ３２、Ｂ３２、Ｃ３２、Ｄ３２  回転止めボス
Ａ３３  ボス
Ａ４、Ｂ４、Ｃ４、Ｄ４  シーベル板取付け具
Ａ４１  位置決めリブ
Ａ４２  溝
Ｂ５、Ｃ５、Ｄ５、Ｄ６  ネジ
Ｂ６  磁石
Ｃ３３  取付けボス
Ｃ６  板バネ
Ｃ６１  位置決め部
Ｃ６２  取付け部
Ｄ７  チルト金具
Ｄ８  テレビセット
Ｄ９  スタンド
【図１】
2004274384.tif 000003
【図２】
2004274384.tif 000004
【図３】
2004274384.tif 000005
【図４】
2004274384.tif 000006
【図５】
2004274384.tif 000007
【図６】
2004274384.tif 000008
【図７】
2004274384.tif 000009
【図８】
2004274384.tif 000010
【図９】
2004274384.tif 000011
【図１０】
2004274384.tif 000012
【図１１】
2004274384.tif 000013
【図１２】
2004274384.tif 000014
【図１３】
2004274384.tif 000015
【図１４】
2004274384.tif 000016
【図１５】
2004274384.tif 000017
【図１６】
2004274384.tif 000018